(57)【特許請求の範囲】
【請求項１】
男性用ブリーフにおいて、
脚挿通孔を設けたブリーフの前面中央及びその左右側に垂直に形成された流線形の折り部の両縁をそれぞれ相互密着裁縫してなる皺部；
該皺部の中間部を境界としてその上側内部に陰茎の収容のための空間を有する第１突出部；及び
該皺部の中間部を境界としてその下側内部に陰嚢の収容のための空間を有する第２突出部；を有してなることを特徴とする男性用ブリーフ。
【請求項２】
上記ブリーフの前面に形成された皺部の背面に、両脚挿通孔の間に位置して所定の幅を有する補強布を縫い付けることを特徴とする請求項１に記載の男性用ブリーフ。
【請求項３】
男性用ブリーフにおいて、
ブリーフ前面部の陰茎と陰嚢との境界部位を所定の幅で切開し、切開した位置にブリーフの素材とは異なって左右に伸びない織物布を、その切開量だけ横方向に位置させその上下端を裁縫処理してなることを特徴とする男性用ブリーフ。
【請求項４】
上記織物布は、麻布やラミー布からなることを特徴とする請求項３に記載の男性用ブリーフ。
【請求項５】
上記織物布は、ある一方向への伸縮性をもつバンドからなることを特徴とする請求項３に記載の男性用ブリーフ。
【発明の詳細な説明】
【０００１】
（技術分野）
本発明は男性用ブリーフに関し、より詳しくは、ブリーフの前面構造を改善することにより、着用状態に応じて陰嚢と陰茎との境界を自然に支え安定した着用状態を生み出すと同時に、着用者の活動にも拘らず陰茎の陰嚢や股間への傾きを防ぐことにより、皮膚接触に因る湿疹などの皮膚炎を予防し得る男性用ブリーフに関する。
【０００２】
（背景技術）
一般の男性用パンツは、ブリーフ（briefs）とトランクス（trunks）とに大別され、着用者は自分の体形や気持ち、趣向等に合うタイプのパンツを着用する。
【０００３】
その内ブリーフは、腰部と股間部が伸縮性のバンドからなって身体にフィットするもので、大抵陰茎の通風や取出しのために前面に出口を有している。
【０００４】
かかる従来のブリーフ１は、図１に示すように、陰茎Ａの亀頭が臍部に向く陰茎の直立状態時にのみ着用者に安定した着用感を与えられる。しかし、ブリーフ１の着用に従い陰茎Ａと陰嚢Ｂとの境界部位はデルタ空間、つまり三角形の空間Ｓを形成し、この空間Ｓにおいて、陰茎Ａは着用者の座ったり起きたり歩いたり走ったりする活動により、ブリーフ１中央の元の直立位置から下方や股間へと傾くようになるため、陰茎Ａは陰嚢Ｂや股間に接触し、このような皮膚接触は特に汗かきの激しい夏期には湿疹や皮膚炎症等を生じやすくなる。更に、皮膚接触のために接触部位の汗溜まりが悪臭をもたらすなど、衛生上清潔な状態を保ち難くなるという問題点があった。
【０００５】
本発明は上記のような問題点を解決するために案出されたものであって、その目的は、ブリーフの着用時に陰嚢と陰茎との境界を履き心地よく支承することにより、常時陰茎と陰嚢及び股間との皮膚接触を防止し、汗溜まりによる湿疹等の皮膚炎を予防し得る男性用ブリーフを提供することにある。
【０００６】
（発明の開示）
上記の目的を達成するために、本発明による男性用ブリーフは、脚挿通孔を設けたブリーフの前面中央及びその左右側に形成された流線形の折り部両縁をそれぞれ相互密着裁縫してなる皺部、該皺部の中間部を境界としてその上側内部に陰茎の収容のための空間を有する第１突出部、及びその下側内部に陰嚢の収容のための空間を有する第２突出部を有してなることを特徴とする。
【０００７】
また、本発明による男性用ブリーフは、ブリーフ前面部の陰茎と陰嚢との境界部位を所定の幅で切開し、切開した位置にブリーフの素材とは異なって左右に伸びない織物布を、その切開量だけ横方向に位置させその上下端を裁縫処理してなることを特徴とする。
【０００８】
（発明を実施するための最良の形態）
以下、添付の図２乃至図９を参照しながら本発明の実施例を詳しく説明する。
【０００９】
図２は本発明によるブリーフに皺部を形成する裁縫前の状態を示す正面図、図３は本発明によるブリーフの前面部に皺部を形成した裁縫後の状態を示す斜視図、図４は図３の皺部形成済みの状態を示す側面図、そして、図５は本発明によるブリーフの着用状態を示す側断面図である。
【００１０】
本発明による男性用ブリーフ１は、両側に脚挿通孔２を有するブリーフの前面中央及びその左右側に形成された流線形の折り部の両縁をそれぞれ相互密着裁縫してなる皺部３を有する構造としている。
【００１１】
図において、符号Ｘは皺部を形成するための流線形の折り部であり、Ｘ１は該折り部の幅を示すものである。
【００１２】
このような皺部３の形成により、ブリーフ１には側面から見るとき上記皺部３を境界として、上側には陰茎Ａを直立状態で位置させ得る第１突出部３−１が、下側には陰嚢Ｂを皺部３の下方に安定的に位置させ得る第２突出部３−２がそれぞれ提供される。
【００１３】
また、側面から見るとき、上記第１突出部３−１及び第２突出部３−２の突出度合いは、皺部３を形成する流線形の折り部の幅によって決定され得る。
【００１４】
図６及び図７は本発明の一実施例に係るものであって、同図面に示すブリーフ１は、上記皺部３の背面に所定幅の補強布４を当てて縫い付ける構造である。
【００１５】
上記補強布４には弾性バンド、又は当該ブリーフとは異なって変形の少ない布素材が用いられ、この補強布４は上記脚挿通孔２間の所定の位置で横方向にその幅部分が裁縫される。
【００１６】
一方、図８及び図９は本発明の他の一実施例に係り、同図面に示すブリーフ１は、その前面部１−１において陰茎Ａと陰嚢Ｂとの境界部位を所定の幅で切開し、切開した位置にブリーフ１の素材とは異なって左右に伸びない織物布５を、その切開量だけ横方向に位置させその上下端を裁縫処理した構造を有する。上記織物布５には麻布やラミー布、或いはある一方向への伸縮性を持つ織物を含んでなるバンドが適用可能であり、織物布の素材はこれらに限るものではない。
【００１７】
次に、上記のような構造の男性用ブリーフの着用による作用及び効果を記述する。
【００１８】
ブリーフ１の着用に際して、着用者は陰茎Ａを臍部に向くよう直立させて着用し、この状態は図５に示されている。ブリーフ１の前面に密着裁縫してなる皺部３を境界として、上側の第１突出部３−１内には陰茎Ａが、下側の第２突出部３−２内には陰嚢Ｂがそれぞれ位置するようになる。
【００１９】
即ち、陰茎Ａと陰嚢Ｂとがそれぞれ上記第１突出部３−１と第２突出部３−２とに収容されると、ブリーフ１の前面部に形成された皺部３の中間部は、陰茎Ａの下部を自然に支承するようになる。
【００２０】
また、図６に示すように、ブリーフ１の皺部３背面には、補強布４を縫い付けることができる。この補強布４は頻繁な着用や洗濯等に因る上記脚挿通孔２間の幅部分の伸びを抑えるだけでなく、皺部３の初期形態を長期間保持して陰茎を確実に支承するためのものである。
【００２１】
上記のように皺部３及び補強布４は、ブリーフを着用した状態において、陰茎Ａが第１突出部３−１から第２突出部３−２側に傾くことを防ぐように働くため、陰茎Ａと陰嚢Ｂとの直接的な接触に因る汗溜まりの発生を阻止でき、汗溜まりによる悪臭の問題を解決できるばかりか、陰茎Ａと陰嚢Ｂとを衛生的に分離収容させ得るため、湿疹や皮膚炎なども予防できるといった利点がある。
【００２２】
更に、ブリーフの着用に当り、従来は陰茎と陰嚢との境界部位に三角形の空間Ｓが形成されるに対し、本発明ではこの空間Ｓがブリーフ１前面の皺部３によって除去され、陰茎Ａは第１突出部３−１内に、陰嚢Ｂは第２突出部３−２内にそれぞれ分離収容されるため、着用者は安定した着用感を享受し得る。
【００２３】
即ち、上記皺部はブリーフの着用時に、陰茎の下部を適度に圧迫しながら陰茎を安定的に支承するように働く。これは、スカートやズボンの下がりを防ぐために着用者の腰部を締めるウエストバンドと同じ原理と言えよう。
【００２４】
このような皺部の形成により、陰茎を立てた状態でブリーフを着用した時、陰茎が下方に傾き陰嚢や股間と直接的に接触することを防止して汗溜まりに因る湿疹や皮膚炎症を予防できるのである。
【００２５】
尚、図８及び図９を参照して本発明の他の一実施例によるブリーフ１の作用及び効果について説明する。
【００２６】
着用者は陰茎Ａを臍部に向けた状態でブリーフ１を着用する。この状態で、陰茎Ａは人体の特性上、膨らんだ恥骨のために直立ではなく斜めに位置するようになる。この時、ブリーフ１の前面部１−１に別途に織物布５を縫い付けることにより、上記陰茎Ａと陰嚢Ｂとの間の境界領域を適度且つ安定的に支持することができ、既存のブリーフの着用から形成される三角形の空間Ｓを除去して陰茎を安定的に支えることができる。
【００２７】
上記のように織物布５は、前面から見るとき、特に左右には伸びない構造を有するバンドとして働くため、陰茎Ａと陰嚢Ｂとの分離状態で陰茎Ａの直立姿勢を保ちながら陰茎と陰嚢との直接的な皮膚接触を回避することができる。
【００２８】
尚、直接的な皮膚接触を回避できるため、汗溜まりの防止、汗溜まりによる悪臭の防止及び清潔状態の維持、更には、湿疹や皮膚炎の予防などの利点が得られる。
【００２９】
（産業上の利用可能性）
以上の説明のように、本発明による男性用ブリーフでは、着用状態に従って陰茎と陰嚢との境界領域を自然に支え常時陰茎を臍部に向ける皺部を、ブリーフの前面に設けることにより、同皺部を境界として上側には陰茎を収容し得る第１突出部、下側には陰嚢を収容し得る第２突出部がそれぞれ提供され得る。更に、本発明の他の一実施例によれば、織物布を適用することにより、陰嚢と陰茎との境界部位を履き心地よく支えながら陰茎を常時臍部に向け、より自然且つ安定した着用感を与えられる。
【００３０】
更に、陰茎が陰嚢部位や股間に傾くことを防止し得るため、直接的な皮膚接触に起因する汗溜まりを防ぎ、湿疹等の皮膚炎症を予防し得るといった効果を奏する。
【００３１】
以上、本発明を上記した実施例に基づいて具体的に説明したが、本発明はこれに限定されるものではなく、本発明の思想及び範囲内での自由な変更や改良が可能なことは勿論である。但し、この変更や改良は添付の請求の範囲により制限される。
【図面の簡単な説明】
【図１】  図１は従来のブリーフの着用状態を示す側断面図である。
【図２】  図２は本発明によるブリーフに皺部を形成する裁縫前の状態を示す正面図である。
【図３】  図３は本発明によるブリーフの前面部に皺部を形成した裁縫後の状態を示す斜視図である。
【図４】  図４は図３の皺部形成済みの状態を示す側面図である。
【図５】  図５は本発明によるブリーフの着用状態を示す側断面図である。
【図６】  図６は本発明によるブリーフの裏面に補強布を適用した状態の斜視図である。
【図７】  図７は図６の補強布を適用したブリーフの着用状態を示す側断面図である。
【図８】  図８は本発明の他の一実施例によるブリーフの各部の分解斜視図である。
【図９】  図９は図８のブリーフの着用により陰茎を立てた状態を示す側断面図である。
【図１】
0003699084.tif 000002
【図２】
0003699084.tif 000003
【図３】
0003699084.tif 000004
【図４】
0003699084.tif 000005
【図５】
0003699084.tif 000006
【図６】
0003699084.tif 000007
【図７】
0003699084.tif 000008
【図８】
0003699084.tif 000009
【図９】
0003699084.tif 000010